(57)【要約】【課題】払い出されたコインの移し替え作業における不安定な状態を解消して、遊技者にかかる負担を軽減することが可能な遊技機を提供する。【解決手段】遊技の結果に応じてコインが払い出される払出口３８と、払出口３８から払い出されたコインを受けてこのコインの貯留を行うコイン受皿４０と、を備えた遊技機１０に、コイン受皿４０の下方に、コインを貯留可能なコイン貯留容器６０を着脱可能で、かつ、コイン貯留容器６０を引き出し自在な状態で保持を行うレール４７を備える。【選択図】    図１
2004159782.tif 000002
【特許請求の範囲】
【請求項１】
遊技の結果に応じて遊技媒体が払い出される払出口と、当該払出口から払い出された遊技媒体を受けて当該遊技媒体の貯留を行う遊技媒体受皿と、を備え、
前記遊技媒体受皿の下方に、遊技媒体を貯留可能な遊技媒体貯留容器を着脱可能で、かつ、当該遊技媒体貯留容器を引き出し自在な状態で保持を行う保持部を備えてなることを特徴とする遊技機。
【請求項２】
遊技の結果に応じて遊技媒体が払い出される払出口と、当該払出口から払い出された遊技媒体を受けて当該遊技媒体の貯留を行う遊技媒体受皿と、を備え、
前記遊技媒体受皿の裏面に所定間隔を隔てて平行に配置された一対のレールを設け、このレールに沿って上部に開口を有する遊技媒体貯留容器を前後方向に引き出し自在に設けてなることを特徴とする遊技機。
【請求項３】
前記レールは、その断面が、少なくとも前記遊技媒体受皿から下方に向かう垂直部分と、当該垂直部分から水平方向に延在する水平部分とから構成され、前記水平部分に前記遊技媒体貯留容器の縁部を係合するように構成してなることを特徴とする請求項２に記載の遊技機。
【発明の詳細な説明】
【０００１】
【発明の属する技術分野】
本発明は、遊技機に関するものである。
【０００２】
【従来の技術】
パチンコ、パチスロ、スロットマシンと呼ばれる遊技機には、遊技球、コイン、メダル、トークンといった遊技媒体が多量に用いられている。これらの遊技媒体は、遊技者が遊技機に投入することにより遊技が開始され、例えば、パチスロ、スロットマシンであれば、変動表示する複数の図柄が所定の組合せとして停止表示するように停止操作を行うことにより遊技が行われる。
【０００３】
そして、停止表示した図柄の組合せが所定の組合せとなり、入賞成立となった場合には、その組合せに応じた数量の遊技媒体が遊技者に対して払い出されることになる。
【０００４】
通常、払い出される遊技媒体は、遊技機の前面下部に設けられた払出口から払い出され、払出口下部に設けられた遊技媒体受皿に貯留される。
【０００５】
払い出される遊技媒体が受皿に貯留しきれなくなった場合には、各遊技場に用意されている、いわゆる「ドル箱」と呼ばれる、遊技媒体貯留用、運搬用の容器に移し替えられる。
【０００６】
上述した遊技機では、一般に遊技媒体受皿は遊技機に固設されているため、上述した受皿から「ドル箱」への移し替え作業は、特に、パチスロ、スロットマシンの場合には、遊技者の手によって、受皿に貯留されているコインを掴み上げ、掴んだコインを「ドル箱」に移し入れることにより行われている。
【０００７】
この移し替え作業は、受皿からコインを掻き出すように行う方が効率が良いため、コインがこぼれ落ちないように、「ドル箱」を受皿に近づけて行うことが好ましく、また、多くの遊技者が、「ドル箱」を受皿に近づけることにより移し替え作業を行っている。
【０００８】
しかし、「ドル箱」を受皿に近づけて移し替え作業を行う場合には、片手で「ドル箱」を支えて、もう一方の手でコインを掻き出す動作を行わなければならない。このため、移し替えるコインが大量にある場合には、コインの重量により、「ドル箱」を支える片手に大きな負担がかかってしまうものである。
【０００９】
そこで、上述したような移し替え作業を行う遊技者の負担を軽減させようとする遊技機が提供されている（例えば、特許文献１参照。）。この遊技機は、受皿の前面に、受皿の前面縁よりも前方へ突出するとともに左右水平方向に向かう突条部を設け、「ドル箱」の上方開口部前縁部をこの突条部に掛合させることにより、「ドル箱」を支える片手にかかる重量を分散させ、負担を軽減しようというものである。
【００１０】
【特許文献１】
特開２００１−２７６３１５号公報（第２−３頁、第４図）
【００１１】
【発明が解決しようとする課題】
しかしながら、上述した遊技機のように、受皿の前面に突条部を設けるように構成し、この突条部に「ドル箱」の上方開口部前縁部を掛合させることができても、片手で支えなければならないことにかわりはなく、片手がふさがったまま、残ったもう一方の手で移し替え作業を行わなければならない。
【００１２】
また、幅約１ｃｍ、厚み約３ｍｍという、わずかに前方に突出した突条部に、「ドル箱」の上方開口部前縁部という、「ドル箱」のごく一部分を、非常に小さい接触面積で掛合することとなるので、片手にかかる負担は軽減されたとしても、掛合されているという安心感から少しでも気を緩めると「ドル箱」を落下させてしまうおそれもあり、不安定な状態で移し替え作業を行わなければならないことにかわりはない。
【００１３】
更に、この移し替え作業は、多量のコインが払い出され得る大当たり遊技中に行うこととなる場合が多い。上述したような遊技機では、多くの遊技者が大当たり遊技を行うことを望んで遊技を行うものである。特に、遊技機では、上述した如く、停止操作を行わなければならないが、移し替え作業で両手がふさがっている場合には、停止操作を行うことができず、遊技を中断しなければならない場合もある。これが遊技者の待ち望んだ大当たり遊技中である場合には、遊技者の高揚した気持ちに水を差し、遊技意欲を損なわせてしまうおそれもある。
【００１４】
更にまた、多量のコインが連続して払い出されている状態にあって、移し替え作業に時間がかかってしまう場合には、コインの払い出しに移し替え作業が追いつかず、コイン詰まりを引き起こしてしまうおそれもある。この場合には、遊技が強制的に中断してしまい、遊技者の遊技意欲を更に損なわせてしまうことにもなりかねない。
【００１５】
本発明は以上の問題点に鑑みてなされたものであり、その目的は、遊技媒体受皿から遊技媒体貯留容器への遊技媒体の移し替え作業における不安定な状態を解消して、遊技者にかかる負担を軽減することが可能な遊技機を提供することにある。
【００１６】
【課題を解決するための手段】
以上のような目的を達成するために、本発明は以下のものを提供する。
【００１７】
（１）  遊技の結果に応じて遊技媒体が払い出される払出口と、当該払出口から払い出された遊技媒体を受けて当該遊技媒体の貯留を行う遊技媒体受皿と、を備え、前記遊技媒体受皿の下方に、遊技媒体を貯留可能な遊技媒体貯留容器を着脱可能で、かつ、当該遊技媒体貯留容器を引き出し自在な状態で保持を行う保持部を備えてなることを特徴とする遊技機。
【００１８】
上述した（１）の発明によると、「遊技の結果に応じて遊技媒体が払い出される払出口と、当該払出口から払い出された遊技媒体を受けて当該遊技媒体の貯留を行う遊技媒体受皿と、を備え」る遊技機は、「前記遊技媒体受皿の下方に、遊技媒体を貯留可能な遊技媒体貯留容器を着脱可能で、かつ、当該遊技媒体貯留容器を引き出し自在な状態で保持を行う保持部を備えてなる」ので、遊技媒体受皿の下方に設けられた保持部に、遊技媒体貯留容器を、着脱自在に、かつ、引き出し自在に保持させることが可能となる。
【００１９】
従来、遊技機では、パチンコ球、コイン、メダル等の遊技媒体が払いだされ、受皿に一杯になると、いわゆる「ドル箱」と呼ばれる遊技媒体を貯留するための上方が開口した箱に移し替えられる。この際、この移し替え作業は、特にパチスロ、スロットといった遊技機では、受皿から遊技媒体であるコインを掬い上げるか、摘み上げる等の動作を数回繰り返すことにより行われる。この間、遊技者は、遊技媒体の落下や散乱等の防止や、移し替え作業を行う手の移動距離を短くする等の遊技者なりの工夫から、「ドル箱」を受皿に近づけるものである。このとき、「ドル箱」を片手で支えながら移し替え作業を行っている。このため、貯留されている遊技媒体が多量の場合には、作業が煩雑となり、多くの時間がかかってしまう場合もあり、また、多量の遊技媒体が移された「ドル箱」は、重量が大きくなり、これを片手で支えるため、非常に労力が大きいものであった。また、通常、この移し替え作業は、入賞が成立し、多量の遊技媒体が払い出される大当たり遊技中に行う場合が多く、遊技に集中したい遊技者にとっては、負担が大きく、遊技意欲を損ねてしまいかねないものである。
【００２０】
しかし、この遊技機を用いると、「ドル箱」を受皿の直ぐ下方に着脱可能、かつ、引き出し自在に取り着けることができるので、遊技者は、移し替え作業を行う際に片手で「ドル箱」を支える必要がなくなり、両手を使用して安定した状態で移し替え作業を行うことができ、遊技者にかかる作業負担を軽減し、作業速度を向上させることが期待できる。
【００２１】
（２）  遊技の結果に応じて遊技媒体が払い出される払出口と、当該払出口から払い出された遊技媒体を受けて当該遊技媒体の貯留を行う遊技媒体受皿と、を備え、前記遊技媒体受皿の裏面に所定間隔を隔てて平行に配置された一対のレールを設け、このレールに沿って上部に開口を有する遊技媒体貯留容器を前後方向に引き出し自在に設けてなることを特徴とする遊技機。
【００２２】
上述した（２）の発明によると、「遊技の結果に応じて遊技媒体が払い出される払出口と、当該払出口から払い出された遊技媒体を受けて当該遊技媒体の貯留を行う遊技媒体受皿と、を備え」る遊技機において、「前記遊技媒体受皿の裏面に所定間隔を隔てて平行に配置された一対のレールを設け、このレールに沿って上部に開口を有する遊技媒体貯留容器を前後方向に引き出し自在に設けてなる」ので、移し替え作業を行う必要が無い場合は、「ドル箱」を受皿の下方に収納させ、移し替え作業を行う場合には、受皿の下方に収納した「ドル箱」を前方に引き出すというように、「ドル箱」が遊技の邪魔にならないように、遊技者は自在に収納、引き出しを行うことが可能となる。
【００２３】
（３）  前記レールは、その断面が、少なくとも前記遊技媒体受皿から下方に向かう垂直部分と、当該垂直部分から水平方向に延在する水平部分とから構成され、前記水平部分に前記遊技媒体貯留容器の縁部を係合するように構成してなることを特徴とする（２）に記載の遊技機。
【００２４】
上述した（３）の発明によると、（２）に記載の遊技機において、「前記レールは、その断面が、少なくとも前記遊技媒体受皿から下方に向かう垂直部分と、当該垂直部分から水平方向に延在する水平部分とから構成され、前記水平部分に前記遊技媒体貯留容器の縁部を係合するように構成してなる」ので、遊技者は、「ドル箱」を受皿の裏面に設けた一対のレールに係合させたまま、自在に収納、引き出しを行うことが可能となり、「ドル箱」をより安定させた状態で移し替え作業を行うことが期待できる。
【００２５】
［用語の定義等］
本発明に係る「遊技媒体」とは、遊技機における遊技の開始、進行や結果を定め得るものを示す概念であり、パチンコ等の弾球遊技機におけるパチンコ球や、スロットマシンやパチスロ等の回胴式の遊技機におけるコインやメダルやトークン等を含む概念である。
【００２６】
【発明の実施の形態】
以下に、本発明の好適な実施形態について図面に基づいて説明する。
【００２７】
尚、以下において説明する実施形態においては、本発明に係る遊技機に好適な実施形態として、本発明をスロットマシンに適用した場合について説明する。
【００２８】
また、この遊技機１０で用いられる遊技媒体は、コインが適用されるものとして説明する。
【００２９】
更に、以下において説明する実施形態における遊技機１０では、スロットマシンに適用した場合について説明するが、本発明はこれに限らず、メダル遊技機その他のコインを使用して遊技を行う遊技機にも適用でき、また、コインを使用して遊技を行う遊技機以外にも、パチンコ球を使用するパチンコ遊技機にも適用できるものであり、更には、遊技媒体が払い出され、払いだされた遊技媒体を貯留するための遊技媒体受皿を有する遊技機であれば、本発明を適用できるものである。
【００３０】
［遊技機の構成］
本発明の一実施形態である遊技機１０の概観を示す斜視図を図１に示す。
【００３１】
遊技機１０は、図１に示す如く、本体筐体１２（以下、単に筐体１２という。）と、メインドア１６と、を備えている。
【００３２】
この筐体１２は、遊技者を臨む位置が開放されている凹部を有しており、遊技場の所定の場所に固設される。筐体１２の凹部には、後述する如く、遊技者を臨む位置に回動可能に配置された３個のリール２６Ｌ、２６Ｃ、２６Ｒや、遊技機１０を電気的に制御するための主制御回路や、コインの貯留、払出を制御するためのホッパー等が設けられている。
【００３３】
また、メインドア１６は、筐体１２の凹部を外側に露呈しないように覆うこととなる。また、メインドア１６は、筐体１２の凹部を開閉可能なように、正面から見て左側で筐体１２と軸着されており、その軸着された部分を中心として回動自在となっている。
【００３４】
メインドア１６は、正面から見て右側で、筐体１２に対して施錠及び解錠が行われるものである。
【００３５】
メインドア１６の略中央には、略垂直に形成された縦長矩形の３つの表示窓１４Ｌ、１４Ｃ、１４Ｒが設けられている。これらの表示窓１４Ｌ、１４Ｃ、１４Ｒには、５本の入賞ライン、即ち、水平に３本（中央Ｌ１、上下Ｌ２Ａ、Ｌ２Ｂ）、及び斜めに２本（斜め右下がりＬ３Ａ、斜め右上がりＬ３Ｂ）の入賞ラインが設けられている。これらの入賞ラインＬ１、Ｌ２Ａ、Ｌ２Ｂ、Ｌ３Ａ及びＬ３Ｂの左端部と右端部とには、投入されたコインの枚数により有効となった入賞ライン（以下、有効ラインと称する）と、コインの賭け枚数と、を表示するための賭け枚数表示部１８が、上から順に「３」、「２」、「１」、「２」、「３」の如く設けられている。
【００３６】
筐体１２の内部には、各々の外周面に複数種類の図柄が描かれた３個のリール２６Ｌ、２６Ｃ、２６Ｒが回転自在に設けられている。これらのリール２６Ｌ、２６Ｃ、２６Ｒの各々は、上述した表示窓１４Ｌ、１４Ｃ、１４Ｒを介して視認可能に設けられている。後述する如く、リール２６Ｌ、２６Ｃ、２６Ｒは、表示窓１４Ｌ、１４Ｃ、１４Ｒにおいて、リール２６Ｌ、２６Ｃ、２６Ｒの外周面に描かれた図柄が上から下に向かって移動するように回転駆動される。
【００３７】
後述する１−ＢＥＴスイッチ２０を遊技者が操作したときには、５本の入賞ラインのうちの１本、例えば入賞ラインＬ１を有効化し、２−ＢＥＴスイッチ２２を操作したときには、５本の入賞ラインのうちの３本、例えば入賞ラインＬ１、Ｌ２Ａ及びＬ２Ｂを有効化し、最大ＢＥＴスイッチ２４を操作したときには、５本の入賞ラインの全て、即ちＬ１、Ｌ２Ａ、Ｌ２Ｂ、Ｌ３Ａ及びＬ３Ｂを有効化する。有効化された入賞ラインは、賭け枚数表示部１８の背面に設けられている有効ライン表示ランプ（図示せず）を点灯することにより明示される。
【００３８】
また、上述した表示窓１４Ｌ、１４Ｃ、１４Ｒの下方には、略水平の台座部２８が設けられており、その中央には液晶ディスプレイパネルからなる表示装置３０が設けられている。この表示装置３０においては、遊技履歴が表示されたり、ボーナスゲームにおける画像演出等が行われる。
【００３９】
表示装置３０の右側には、遊技機１０にコインを投入するためのコイン投入口３１が設けられている。
【００４０】
上述した如く、表示装置３０の左側には、１回の押動操作により、既に投入されているコインのうちの１枚だけを遊技の賭けの対象とするための１−ＢＥＴスイッチ２０と、既に投入されているコインのうちの２枚だけを遊技の賭けの対象とするための２−ＢＥＴスイッチ２２と、既に投入されているコインのうち１回の遊技に可能な最大枚数のコインを遊技の賭けの対象とするための最大ＢＥＴスイッチ２４とが設けられている。これらのＢＥＴスイッチ２０、２２又は２４を押動操作することで、押動操作されたＢＥＴスイッチに応じて上述した入賞ラインが有効化されることとなる。
【００４１】
台座部２８の前面の左側には、スタートレバー３２が傾動可能に設けられている。このスタートレバー３２を遊技者が傾動操作することにより、上述した３つのリール２６Ｌ、２６Ｃ、２６Ｒの回転が一斉に開始される。３つのリール２６Ｌ、２６Ｃ、２６Ｒが回転したときには、リール２６Ｌ、２６Ｃ、２６Ｒの各々の外周面に描かれている図柄が、表示窓１４Ｌ、１４Ｃ、１４Ｒの各々において変動表示されることとなる。
【００４２】
上述した３つのリール２６Ｌ、２６Ｃ、２６Ｒの回転速度が一定の速度に達したときには後述する停止スイッチ３４Ｌ、３４Ｃ、３４Ｒの遊技者による操作が有効となる。
【００４３】
台座部２８の前面の中央には、３個の停止スイッチ３４Ｌ、３４Ｃ、３４Ｒが設けられている。停止スイッチ３４Ｌはリール２６Ｌに対応し、停止スイッチ３４Ｃはリール２６Ｃに対応し、停止スイッチ３４Ｒはリール２６Ｒに対応している。停止スイッチ３４Ｌを遊技者が押動操作したときには、リール２６Ｌが停止し、停止スイッチ３４Ｃを遊技者が押動操作したときには、リール２６Ｃが停止し、停止スイッチ３４Ｒを遊技者が押動操作したときには、リール２６Ｒが停止するようになされている。
【００４４】
リール２６Ｌ、リール２６Ｃ、リール２６Ｒが停止するときには、リール２６Ｌ、リール２６Ｃ、リール２６Ｒの各々の外周面に描かれている図柄が上述した入賞ラインＬ１、Ｌ２Ａ、Ｌ２Ｂ、Ｌ３Ａ及びＬ３Ｂに位置付けられて停止表示されるように制御される。
【００４５】
スタートレバー３２の左側には、払出スイッチ３６が設けられている。遊技者が払出スイッチ３６を押動操作したときには、クレジットされているコインが正面下部のコイン払出口３８から払い出され、払い出されたコインはコイン受皿４０に受け止められ、貯留される。
【００４６】
［コイン受皿の構成］
本発明の一実施形態であるコイン受皿４０の拡大図を図２に示す。上述した如く、コイン受皿４０は、筐体１２内部に設けられたホッパーを介してコイン払出口３８から払い出されたコインを受け止め、受け止めたコインの貯留を行うためのものである。
【００４７】
コイン受皿４０は、コイン払出口３８の下方に位置し、全体形状が略直方体であって、その上面が開放する略箱状に形成されており、遊技機１０のメインドア１６に固設されているものである。
【００４８】
また、コイン受皿４０は、長方形状のコイン貯留部４１と、このコイン貯留部４１を形成する、四方周囲の壁部、即ち、前壁部４２、後壁部４３、右壁部４４及び左壁部４５、と、底面部４６から構成されている。
【００４９】
尚、上述した四方周囲の壁部における、前後左右の位置づけは、遊技機１０に対向する位置で遊技を行う遊技者側からの視点に基づくものである。又、以下に述べる前後左右の位置づけも同様であるとする。
【００５０】
［保持部の構成］
図２に示す如く、コイン受皿４０の底面部４６には、コイン受皿４０に貯留されるコインが一杯になった場合に、この一杯になったコインの移し替え用に遊技場に予め用意されているコイン貯留容器６０を保持するための保持部が設けられている。
【００５１】
この保持部は、左右一対のレール４７からなり、この左右一対のレール４７は、コイン受皿４０の前後幅と略同じ長さを有している。
【００５２】
また、この左右一対のレール４７は、その左右間が、保持することになるコイン貯留容器６０が有する長さに相当する一定の間隔をもって、前後方向に略平行となるように位置づけられ、コイン受皿４０の底面部４６に固設される。
【００５３】
更に、レール４７は、コイン受皿４０の底面部４６から垂直方向に延在する垂直部４８と、この垂直部４８の下端から水平方向に延在する水平部４９と、この水平部４９の端部からコイン受皿４０の底面部４６に向かう垂直方向に延在する返し部５０と、から構成されている。
【００５４】
上述したコイン貯留容器６０は、図３に示す如く、上方が開放した開口部を有する略箱状に形成されており、この開口部の周縁には、外方に向かって延出する鍔部６２が形成されている。鍔部６２の左右側部は、その端部から下方へ向かう垂直方向へと延出するように構成されている。
【００５５】
尚、本実施形態におけるレール４７は、上述の如く、コイン受皿４０の前後幅と略同じ長さを有していることとしたが、本発明はこれに限らず、コイン受皿４０の前後幅よりも長く構成することとし、レール４７を前方へ延出させるように構成してもよい。
【００５６】
これにより、レール４７とコイン貯留容器６０とがより長い部分まで係合することとなるので、より安定してコイン貯留容器６０を保持することが可能となる。
【００５７】
また、上述したレール４７を、伸縮自在に構成することとしてもよい。
【００５８】
この場合には、例えば、レール４７を、固定レール部と、スライドレール部と、から構成し、固定レール部をコイン受皿４０の底面部４６に設け、スライドレール部が固定レール部に沿って前後方向に移動するように構成することとしてもよい。
【００５９】
これにより、コインの移し替え作業が必要な場合と、必要でない場合に応じて、レールの長さの調節が可能となるとともに、レール４７とコイン貯留容器６０とが伸長させたレールの長さの部分まで係合することとなるので、より安定してコイン貯留容器６０を保持することが可能となる。また、コイン貯留容器６０の有する大きさ、即ち、コイン貯留容器６０の前後の幅の長さに応じてレール４７間の幅を調節することが可能となり、様々な種類のコイン貯留容器６０を取り付けることが期待できる。
【００６０】
更に、本実施形態におけるレール４７は、左右一対のレールであり、その左右間が、保持することになるコイン貯留容器６０が有する長さに相当する一定の間隔をもって、前後方向に略平行となるように位置づけられ、コイン受皿４０の底面部４６に固設されることとしたが、本発明はこれに限らず、レール４７は、略平行に設けられた左右レールの間隔を調節自在な構成として、コイン受皿４０の底面部４６に設けられることとしてもよい。
【００６１】
この場合には、例えば、固定部材にスライド部材が移動可能に組み込まれた略長板状のレール幅調節装置を、スライド部材が左右方向に移動するようにコイン受皿４０の底面部４６に設け、かつ、一対のレール４７のうち左レール４７を固定部材に設ける一方、右レール４７をスライド部材に設け、固定部材に組み込まれたスライド部材が固定部材に沿って左右方向に移動を行い、スライド部材に設けられた右レール４７がスライド部材に伴って左右への移動を行うことにより一対のレール４７間の幅の調節が可能となるように構成することとしてもよい。
【００６２】
これにより、一対のレール４７間の幅の調節を自由に行うことができるため、コイン貯留容器６０の有する大きさ、即ち、コイン貯留容器６０の左右の幅の長さに応じてレール４７間の幅を調節することが可能となり、様々な種類のコイン貯留容器６０を取り付けることが期待できる。また、通常、遊技場に用意されているコイン貯留容器６０は、遊技場ごとにその大きさが異なるものであるため、遊技場ごとにレール幅の調節を行うことがなく、煩雑な調整作業を行う必要がなくなる。
【００６３】
更にまた、上述したレール幅調節装置を構成する固定部材とスライド部材とをバネ部材等の弾性体で連結するように構成してもよい。
【００６４】
これにより、例えば、上述したスライド部材が固定部材に組み込まれている状態からスライド部材を右方向に移動させたときに、バネ材が伸長するように構成すれば、一対のレール４７は、一対のレール４７が保持するコイン貯留容器６０を、バネ材の付勢力を利用して、挟持することが可能となる。このため、コイン貯留容器６０をより安定して保持させることが可能となり、コイン貯留容器６０がレール４７から外れてしまうことや、落下してしまうことを防止することが期待できる。
【００６５】
更にまた、本実施形態におけるレール４７は、コイン受皿４０の底面部４６から垂直方向に延在する垂直部４８と、この垂直部４８の下端から水平方向に延在する水平部４９と、この水平部４９の端部からコイン受皿４０の底面部４６に向かう垂直方向に延在する返し部５０と、から構成され、断面略Ｌ字形状であることとしたが、本発明はこれに限らず、レール４７の構成は、係合するものであれば如何なる構成であることとしてもよい。例えば、コイン受皿４０の底面部４６から垂直方向に延在する垂直部と、この垂直部の下端から左右の水平方向に延在する水平部と、から構成され、断面Ｔ字形状として構成することとしてもよい。
【００６６】
更にまた、本実施形態においては、保持部を一対のレール４７として説明したが、本発明はこれに限らず、本発明における保持部は様々な形態とすることが可能である。
【００６７】
例えば、本発明における保持部を、図６に示す如く、一対の棒状体７０として構成することとしてもよい。この場合には、棒状体７０を、コイン受皿４０の下方であって、遊技機１０のメインドア１６から水平方向に突出させ、棒状体７０の水平端部にストッパー７１を設ける構成とし、コイン貯留容器６０を係合させることとしてもよい。
【００６８】
また、係合させるに限らず、上述した棒状体７０を、コイン受皿４０の下方であって、コイン受皿４０の底面部４６から一定の間隔を有して設け、コイン貯留容器６０をこの棒状体７０に載置させることにより保持するような構成とすることとしてもよい。この場合には、コイン受皿４０の底面部４６と棒状体７０との間隔は、コイン貯留容器６０の高さと略同じ長さであることが好ましい。また、上述したレール４７と同様に、コイン受皿４０の前後幅よりも長く構成することとし、前方へ延出させるように構成してもよく、更には、伸縮自在に構成することとしてもよい。
【００６９】
更に、例えば、本発明における保持部を、一枚の板状体から構成されるテーブル８０として構成することとしてもよい。このテーブル８０は、矩形状の板状体であり、その後半分をコイン受皿４０の底面部４６に固設し、その前半分をコイン受皿４０の前壁部４２から前方の水平方向へ延出させるような構成となっている。また、テーブル８０の水平端部には、この水平端部から上方の垂直端部に延在するストッパー８１が設けられている。
【００７０】
これにより、コイン貯留容器６０をテーブル８０に載置することが可能となる。このため、コイン貯留容器６０をコイン貯留容器６０の底面全体で支えることができ、より安定して保持することが可能となり、また、ストッパー８１により更に安定して保持することが可能となり、コイン貯留容器６０の落下を防止することができる。
【００７１】
更にまた、上述したテーブル８０を引き出し自在に構成することとしてもよい。この場合には、図８に示す如く、固定部材８２にスライド部材であるテーブル８０が移動可能に組み込まれたテーブルスライド装置をコイン受皿４０の底面部４６に設けるように構成する。具体的には、固定部材８２を、スライド部材が前後方向に引き出し自在となるように、コイン受皿４０の底面部４６に設け、固定部材８２に組み込まれたスライド部材であるテーブル８０が固定部材８２に沿って前後方向に移動を行うように構成することとしてもよい。
【００７２】
これにより、上述した、コイン貯留容器６０をコイン貯留容器６０の底面全体で支えることができ、より安定して保持することが可能となり、また、ストッパー８１により更に安定して保持することが可能となり、コイン貯留容器６０の落下を防止することができる、という効果に加えて、コインの移し替え作業が必要な場合と、必要でない場合に応じて、テーブル８０の引き出し及び収納が可能となるとともに、コイン貯留容器６０の有する大きさ、即ち、コイン貯留容器６０の前後の幅の長さに応じてテーブル８０を引き出す長さを調節することが可能となり、様々な種類のコイン貯留容器６０を取り付けることが期待できる。
【００７３】
［作用］
以下、上述した構成を有する遊技機１０について、その動作を中心に説明する。
【００７４】
上述した遊技機１０の筐体１２に内在する主制御装置は、遊技者により、コイン投入口３１にコインが投入され、スタートレバー３２が傾動操作されたことを検知すると、３つのリール２６Ｌ、２６Ｃ、２６Ｒを回転駆動させるための駆動回路に駆動信号及び電力を供給し、３つのリール２６Ｌ、２６Ｃ、２６Ｒの回転が一斉に開始される。
【００７５】
また、３つのリール２６Ｌ、２６Ｃ、２６Ｒが回転したことにより、リール２６Ｌ、２６Ｃ、２６Ｒの各々の外周面に描かれている図柄が、表示窓１４Ｌ、１４Ｃ、１４Ｒの各々において変動表示されることとなる。
【００７６】
次いで、主制御装置は、遊技者が所定のタイミングで３個の停止スイッチ３４Ｌ、３４Ｃ、３４Ｒを押圧操作したことを検知すると、押圧操作を検知した停止スイッチ３４Ｌ、３４Ｃ、３４Ｒに応じて、上述した回転する３つのリール２６Ｌ、２６Ｃ、２６Ｒの停止制御を行う。
【００７７】
また、主制御装置は、リール２６Ｌ、リール２６Ｃ、リール２６Ｒの各々の外周面に描かれている図柄が上述した入賞ラインＬ１、Ｌ２Ａ、Ｌ２Ｂ、Ｌ３Ａ及びＬ３Ｂに位置付けられて停止表示されるように制御を行う。
【００７８】
次いで、主制御装置は、予め行った内部抽選による内部入賞役に対応する所定の図柄の組合せとして停止制御が行われたか否かを判断し、内部入賞役に対応する所定の図柄の組合せとして停止制御が行われた、即ち、入賞が成立したと判別した場合には、筐体１２に内部に設けられたホッパーを駆動させるべく、ホッパー駆動回路に駆動信号及び駆動電力を供給し、コイン払出口３８に所定量のコインを払い出すように制御を行う。
【００７９】
コイン払出口３８から払い出されたコインは、コイン受皿４０のコイン貯留部４１に受け止められ、貯留されることとなる。
【００８０】
複数回の払い出しが行われ、コイン貯留部４１に貯留されるコイン数量がコイン貯留部４１の許容数量を超えることとなった場合には、コイン貯留部４１を空にして再度コイン貯留部４１に貯留を行うべく、貯留されたコインを他の容器等に移し替える作業を行う必要性が生じる。
【００８１】
上述した如く、コイン受皿４０のコイン貯留部４１に貯留されたコインを移し替えるためのコイン貯留容器６０は、一般的には、遊技場ごとに予め用意されているものである。
【００８２】
このコイン貯留容器６０は、上述した如く、図３に示したように、上方が開放した開口部を有する略箱状に形成されており、この開口部の周縁には、外方に向かって延出する鍔部６２が形成されている。鍔部６２の左右側部は、その端部から下方へ向かう垂直方向へと延在するように構成されている。この垂直方向に延在する部分は凸部として形成されている。
【００８３】
遊技者は、このコイン貯留容器６０を、上述したレール４７に保持させることになる。
【００８４】
上述した如く、レール４７は、左右一対のレール４７からなり、この左右一対のレール４７は、コイン受皿４０の前後幅と略同じ長さを有し、かつ、その左右間が、保持することになるコイン貯留容器６０が有する長さに相当する一定の間隔をもって、前後方向に略平行となるように位置づけられ、コイン受皿４０の底面部４６に固設されている。
【００８５】
また、レール４７は、コイン受皿４０の底面部４６から垂直方向に延在する垂直部４８と、この垂直部４８の下端から水平方向に延在する水平部４９と、この水平部４９の端部からコイン受皿４０の底面部４６に向かう垂直方向に延在する返し部５０と、から構成され、垂直部４８、水平部４９、返し部５０で囲まれた部分は凹部として形成されている。
【００８６】
遊技者により、コイン貯留容器６０は、前方よりレール４７に向かって水平方向に挿入される。このとき、図４に示す如く、上述したコイン貯留容器６０の鍔部６２の左右側部に形成された凸部と、レール４７の垂直部４８、水平部４９、返し部５０で囲まれて形成された凹部が係合することになる。
【００８７】
これにより、「ドル箱」を受皿の直ぐ下方に着脱可能、かつ、引き出し自在に取り着けることができるので、遊技者は、移し替え作業を行う際に片手で「ドル箱」を支える必要がなくなり、両手を使用して安定した状態で移し替え作業を行うことができ、遊技者にかかる作業負担を軽減し、作業速度を向上させることが期待できる。
【００８８】
また、図４に示す状態で、コイン貯留容器６０が後方に押圧されると、図５に示す如く、上述したコイン貯留容器６０の鍔部６２の左右側部に形成された凸部と、レール４７の垂直部４８、水平部４９、返し部５０で囲まれて形成された凹部が係合した状態で、後方に水平移動され、コイン受皿４０の下方に収納される。更に、図５に閉めす状態で、コイン貯留容器６０が前方に引き出されると、図４に示す如く、上述したコイン貯留容器６０の鍔部６２の左右側部に形成された凸部と、レール４７の垂直部４８、水平部４９、返し部５０で囲まれて形成された凹部が係合した状態で、前方に水平移動され、コイン貯留容器６０の上方開口部が露呈される。
【００８９】
これにより、移し替え作業を行う必要が無い場合は、「ドル箱」を受皿の下方に収納させ、移し替え作業を行う場合には、受皿の下方に収納した「ドル箱」を前方に引き出すというように、「ドル箱」が遊技の邪魔にならないように、遊技者は自在に収納、引き出しを行うことが可能となる。
【００９０】
また、遊技者は、「ドル箱」を受皿の裏面に設けた一対のレールに係合させたまま、自在に収納、引き出しを行うことが可能となり、より安定した状態で移し替え作業を行うことが期待できる。
【００９１】
尚、本実施形態においては、本発明を、遊技媒体としてコインを使用するスロットマシンに適用した例について説明したが、本発明はこれに限らず、遊技媒体としてパチンコ球を使用するパチンコ遊技機について適用しても問題はない。
【００９２】
パチンコ遊技機での遊技媒体の移し変え作業は、スロットマシンと比較すると、比較的遊技者に負担をかけることなく、簡便に行われるものとなっている。
【００９３】
パチンコ遊技機での具体的な移し替え作業について説明する。パチンコ遊技機で使用される遊技媒体であるパチンコ球は球形状を有していることから、一般に、遊技媒体受皿の底面に開閉可能な開口部を設け、この開口部を開放させることにより、パチンコ球がこの開口部に向かって転動し、開口部から下方に落下される。そして、遊技媒体受皿の下方に遊技媒体貯留容器を用意しておくことにより、この落下したパチンコ球が遊技媒体貯留容器に受け止められ、貯留され、移し替え作業が行われる。
【００９４】
このため、パチンコ遊技機においては、遊技媒体受皿に貯留されたパチンコ球を掻き出す必要がなく、また、遊技媒体貯留容器を遊技媒体受皿に近づけるべく、持ち上げて、支える必要もない。
【００９５】
しかし、遊技媒体貯留容器は、プラスチック等で成型され、空の状態では重量の軽いものである。このため、遊技媒体受皿の下方に置かれた遊技媒体貯留容器は、遊技者がわずかに接触することによって、押し動かされ、上述した開口部からずれてしまい、落下した遊技球が受け止められず、貯留されずに、四方に転動し、散在してしまうことも起こっていた。
【００９６】
そこで、この発明を用いると、上述した図５に示す如く、遊技媒体貯留容器を前後方向にスライド可能に保持し、遊技媒体受皿の下方に収納することが可能となるので、遊技媒体貯留容器を遊技媒体受皿の下方に確実に位置させることができ、遊技媒体受皿に貯留された遊技媒体を確実に遊技媒体貯留容器に移し替えることが可能となる。また、遊技媒体貯留容器を遊技媒体受皿の下方に収納させることが可能となるため、遊技者の身体が接触することによって遊技者の遊技の妨げとなることを防止することも可能となる。
【００９７】
【発明の効果】
本発明によれば、「遊技の結果に応じて遊技媒体が払い出される払出口と、当該払出口から払い出された遊技媒体を受けて当該遊技媒体の貯留を行う遊技媒体受皿と、を備え」る遊技機は、「前記遊技媒体受皿の下方に、遊技媒体を貯留可能な遊技媒体貯留容器を着脱可能で、かつ、当該遊技媒体貯留容器を引き出し自在な状態で保持を行う保持部を備えてなる」ので、遊技媒体受皿の下方に設けられた保持部に、遊技媒体貯留容器を、着脱自在に、かつ、引き出し自在に保持させることが可能となり、遊技者は、移し替え作業を行う際に片手で「ドル箱」を支える必要がなくなり、両手を使用して安定した状態で移し替え作業を行うことができ、遊技者にかかる作業負担を軽減し、作業速度を向上させることが期待できる。
【００９８】
また、「遊技の結果に応じて遊技媒体が払い出される払出口と、当該払出口から払い出された遊技媒体を受けて当該遊技媒体の貯留を行う遊技媒体受皿と、を備え」る遊技機において、「前記遊技媒体受皿の裏面に所定間隔を隔てて平行に配置された一対のレールを設け、このレールに沿って上部に開口を有する遊技媒体貯留容器を前後方向に引き出し自在に設けてなる」ので、移し替え作業を行う必要が無い場合は、「ドル箱」を受皿の下方に収納させ、移し替え作業を行う場合には、受皿の下方に収納した「ドル箱」を前方に引き出すというように、「ドル箱」が遊技の邪魔にならないように、遊技者は自在に収納、引き出しを行うことが可能となる。
【００９９】
更に上述した遊技機において、「前記レールは、その断面が、少なくとも前記遊技媒体受皿から下方に向かう垂直部分と、当該垂直部分から水平方向に延在する水平部分とから構成され、前記水平部分に前記遊技媒体貯留容器の縁部を係合するように構成してなる」ので、遊技者は、「ドル箱」を受皿の裏面に設けた一対のレールに係合させたまま、自在に収納、引き出しを行うことが可能となり、「ドル箱」をより安定させた状態で移し替え作業を行うことが期待できる。
【図面の簡単な説明】
【図１】本発明の一実施形態である遊技機１０の概観を示す斜視図である。
【図２】本発明の一実施形態であるコイン受皿４０の拡大図である。
【図３】本発明の一実施形態であるコイン貯留容器６０の拡大図である。
【図４】本発明の一実施形態である遊技機１０の概観を示す斜視図である。
【図５】本発明の一実施形態である遊技機１０の概観を示す斜視図である。
【図６】本発明の一実施形態である遊技機１０の概観を示す斜視図である。
【図７】本発明の一実施形態である遊技機１０の概観を示す斜視図である。
【符号の説明】
１０  遊技機
１２  筐体
１６  メインドア
３１  コイン投入口
３８  コイン払出口
４０  コイン受皿
４１  コイン貯留部
４７  レール
６０  コイン貯留容器
【図１】
2004159782.tif 000003
【図２】
2004159782.tif 000004
【図３】
2004159782.tif 000005
【図４】
2004159782.tif 000006
【図５】
2004159782.tif 000007
【図６】
2004159782.tif 000008
【図７】
2004159782.tif 000009